(57)【特許請求の範囲】
【請求項１】
壁面に沿って配設される気密巾木の出隅、入隅部のコーナー部において、巾木同士の突き合わせ部のクッション材と床面との間に差し入れて使用する隙間隠蔽カバー（１）であって、クッション材と床面の間に差し入れることができるＬ字形状の水平片（１−１）と側壁片（１−２）を形成し、同水平片上に側壁片との間でコーナーパッドの下端を嵌めることができる垂直片（１−３）を形成したことを特徴とする気密巾木のコーナー部の隙間隠蔽カバー。
【発明の詳細な説明】
【技術分野】
【０００１】  本発明は、壁面に沿って配設される気密巾木の出隅、入隅部のコーナー部における隙間隠蔽カバーに関するものである。
【背景技術】
【０００２】
【特許文献１】  特開２００３−０９７０４１
【特許文献２】  特開２００４−１３７５６０
【発明の開示】
【発明が解決しようとする課題】
【０００３】  従来から床面との隙間を遮蔽して気密を保持することができる可撓性のあるクッション材を巾木の下端に取り付けた巾木として、特開２００３−０９７０４１、特開２００４−１３７５６０等に記載されるような気密巾木がある。【０００４】  このような気密巾木の場合、壁の出隅、入隅部における巾木同士の突き合わせ部に使用されるコーナーパッドは、巾木の幅つまり高さに合わせて製作されるため、巾木の施工状態によってはコーナーパッドの下端部において隙間が生じて美観のみならず気密保持においても問題点があった。
【発明の目的】
【０００５】  本発明は、壁面に沿って配設される気密巾木の出隅、入隅部のコーナー部において、巾木同士の突き合わせ部のクッション材と床面との間に差し入れて使用することによりコーナーパッド下端と床面との間に隙間が生じないようにした気密巾木のコーナー部の隙間隠蔽カバーを提供することを目的とするものである。
【課題を解決するための手段】
【０００６】  本発明に係る気密巾木のコーナー部の隙間隠蔽カバーは、壁面に沿って配設される気密巾木の出隅、入隅部のコーナー部において、巾木同士の突き合わせ部のクッション材と床面との間に差し入れて使用する隙間隠蔽カバーであって、クッション材と床面の間に差し入れることができるＬ字形状の水平片と側壁片を形成し、同水平片上に側壁片との間でコーナーパッドの下端を嵌めることができる垂直片を形成したことを特徴とするものである。
【発明の作用】
【０００８】  本発明に係る気密巾木のコーナー部の隙間隠蔽カバーでは、壁の出隅、入隅のコーナー部において隙間隠蔽カバーの側壁片と垂直片との間で形成されるガイド空間にコーナーパッドの下端を嵌めて一体化し、このコーナーパッドを一体化した隙間隠蔽カバーの水平片を気密巾木同士の突き合わせ部のクッション材の下に差し入れてクッション材の弾性力で床面に押し付けて固定するようにしてあるので、コーナーパッド下端部が隙間隠蔽カバーによって隠されて気密巾木同士の突き合わせ部での気密が保持されるだけでなく、体裁もよい。
【実施例】
【０００９】  図１は、出隅用隙間隠蔽カバーの斜視図、図２は、同平面図、図３は、入隅用隙間隠蔽カバーの斜視図、図４は、同平面図、図５は、壁面の出隅部にコーナーパッドを取り付けた状態の概略斜視図、図６は、図５の要部横断平面図、図７は、壁面の入隅部にコーナーパッドを取り付けた状態の概略斜視図、図８は、図７の要部横断平面図、図９は、コーナー部にコーナーパッドを取り付けた状態の縦断側面図、図１０は、調整可能状態を表す図９の縦断側面図である。【００１０】  図１〜図４において、１は、壁面に沿って配設される気密巾木の出隅、入隅部のコーナー部において、巾木同士の突き合わせ部のクッション材と床面との間に差し入れて使用する隙間隠蔽カバーである。【００１１】  図１、２の出隅用コーナーパッドＰ−１に使用される隙間隠蔽カバー１の場合、Ｌ字形状の平面を有する水平片１−１とその水平片１−１外周を囲む垂直の側壁片１−２とから構成され、この側壁片１−２の内周面との間で出隅用コーナーパッドＰ−１の下端を差し入れてガタ付きなく一体化できるガイド空間が形成されるような垂直片１−３が水平片１−１の一部に形成されている。垂直片１−３の形状はどのような形状でもよいものである。【００１２】  図３、４の入隅用コーナーパッドＰ−２に使用される隙間隠蔽カバー１の場合も、平面形状は異なるが、Ｌ字形状の平面を有する水平片１−１とその水平片１−１外周を囲む垂直の側壁片１−２とから構成され、この側壁片１−２の内周面との間で入隅用コーナーパッドＰ−２の下端を差し入れてガタ付きなく一体化できるガイド空間が形成されるような垂直片１−３が水平片１−１の一部に形成されている。この場合でも垂直片１−３の形状はどのような形状でもよいものである。【００１３】  ２は、床面と接触して気密を保持するようにしたクッション材３を固着した壁面に貼着される巾木である。【００１４】  図５、図６の出隅用コーナーパッドＰ−１の場合、コーナーパッドＰ−１の下端を隙間隠蔽カバー１のガイド空間に差し入れて一体化し、壁面Ｗに貼着された巾木２、２同士の突き合わせ部において隙間隠蔽カバー１の水平片１−１を図９、図１０のように巾木２、２下端のクッション材３、３の下から差し入れた後コーナーパッドＰ−１を両面テープや接着剤を用いて巾木２、２同士の突き合わせ部に装着する。【００１５】  図５、図６の入隅用コーナーパッドＰ−２の場合も同じくコーナーパッドＰ−２の下端を隙間隠蔽カバー１のガイド空間に差し入れて一体化し、壁面Ｗに貼着された巾木２、２同士の突き合わせ部において隙間隠蔽カバー１の水平片１−１を図９、図１０のように巾木２、２下端のクッション材３、３の下から差し入れた後コーナーパッドＰ−１を両面テープや接着剤を用いて巾木２、２同士の突き合わせ部に装着する。【００１６】  図６、図８のように巾木２が途中で途切れている場合は巾木のエンドキャップとして、変形させた出隅用コーナーパッドと出隅用隙間隠蔽カバーを使用することもできるものである。
【発明の効果】
【００１７】  本発明に係る気密巾木のコーナー部の隙間隠蔽カバーによれば、壁面に沿って配設される気密巾木の出隅、入隅部のコーナー部において、巾木同士の突き合わせ部のクッション材と床面との間に差し入れて使用する隙間隠蔽カバーであって、クッション材と床面の間に差し入れることができるＬ字形状の水平片と側壁片を形成し、同水平片上に側壁片との間でコーナーパッドの下端を嵌めることができる垂直片を形成したもので、壁の出隅、入隅のコーナー部において隙間隠蔽カバーの側壁片と垂直片との間で形成されるガイド空間にコーナーパッドの下端を嵌めて一体化し、このコーナーパッドを一体化した隙間隠蔽カバーの水平片を気密巾木同士の突き合わせ部のクッション材の下に差し入れてクッション材の弾性力で床面に押し付けて固定するようにしてあるので、コーナーパッド下端部が隙間隠蔽カバーによって隠されて気密巾木同士の突き合わせ部での気密が保持されるだけでなく、体裁もよいものである。
【図面の簡単な説明】
【００１８】
【図１】  出隅用隙間隠蔽カバーの斜視図である。
【図２】  同平面図である。
【図３】  入隅用隙間隠蔽カバーの斜視図である。
【図４】  同平面図である。
【図５】  壁面の出隅部にコーナーパッドを取り付けた状態の概略斜視図である。
【図６】  図５の要部横断平面図である。
【図７】  壁面の入隅部にコーナーパッドを取り付けた状態の概略斜視図である。
【図８】  図７の要部横断平面図である。
【図９】  コーナー部にコーナーパッドを取り付けた状態の縦断側面図である。
【図１０】  調整可能状態を表す図９の縦断側面図である。
【符号の説明】
【００１８】  １          隙間隠蔽カバー
１−１      水平片
１−２      側壁片
１−３      垂直片
２          巾木
３          クッション材
Ｐ−１      出隅用コーナーパッド
Ｐ−２      入隅用コーナーパッド
Ｗ          壁面
【要約】
【課題】壁面に沿って配設される気密巾木の出隅、入隅部のコーナー部において、巾木同士の突き合わせ部のクッション材と床面との間に差し入れて使用することによりコーナーパッド下端と床面との間に隙間が生じないようにした気密巾木のコーナー部の隙間隠蔽カバーを提供すること。
【解決手段】壁面に沿って配設される気密巾木の出隅、入隅部のコーナー部において、巾木同士の突き合わせ部のクッション材と床面との間に差し入れて使用する隙間隠蔽カバーであって、クッション材と床面の間に差し入れることができるＬ字形状の水平片と側壁片を形成し、同水平片上に側壁片との間でコーナーパッドの下端を嵌めることができる垂直片を形成したことを特徴とする。
【選択図】図１【図１】
0005645177.tif 000002
【図２】
0005645177.tif 000003
【図３】
0005645177.tif 000004
【図４】
0005645177.tif 000005
【図５】
0005645177.tif 000006
【図６】
0005645177.tif 000007
【図７】
0005645177.tif 000008
【図８】
0005645177.tif 000009
【図９】
0005645177.tif 000010
【図１０】
0005645177.tif 000011